(57)【要約】【課題】  効率的にバッティングを行うことができる打撃補助用器具を提供する。【解決手段】  本実施形態のバッティングティー１は、長手方向に変形する、弾性のある溝付きシート１０と、支柱３０の基端を固定し、多角形に形成された基台２０と、溝付きシート１０の一方の面に設けられ、溝付きシート１０の長手方向の一方に立設した支柱３０と、溝付きシート１０の長手方向の他方に設けられ、溝付きシート１０の周縁の一部を固定する留め孔１６と、溝付きシート１０と接続した支柱３０の先端に設けられた載置筒４０により構成されている。溝付きシート１０は、打撃方向に傾斜する支柱３０に追随して変形し、変形した状態から変形前の状態に復元する。【選択図】図１
2019122720.tif 000002
【特許請求の範囲】
【請求項１】
弾性のあるシート材と、
前記シート材の一方の面に設けられ、当該シート材の長手方向の一方に立設した棒状の支柱と、
前記シート材の長手方向の他方に設けられ、当該シート材の周縁の一部を固定する固定位置と
を有し、
前記シート材は、打撃方向に傾斜する前記支柱に追随して変形し、変形した状態から変形前の状態に復元する
打撃補助器具。
【請求項２】
前記シート材の前記一方の面に設けられ、前記支柱を立設した位置と、前記固定位置との間に設けられた溝
をさらに有し、
前記溝は、当該シート材の長手方向と異なる方向に連続して設けられている
請求項１に記載の打撃補助器具。
【請求項３】
前記溝の断面形状は、Ｖ字状、Ｕ字状、又は、コの字状であり、
前記溝は、互いに離間して複数設けられ、前記シート材の幅と同じ長さに形成されている
請求項２に記載の打撃補助器具。
【請求項４】
前記シート材は、周縁において面取り加工されている
請求項３に記載の打撃補助器具。
【請求項５】
長手方向に変形する弾性のあるシート材の一方の面において、当該シート材の長手方向の一方に支柱を立設する工程と、
前記シート材の長手方向の他方において、当該シート材の周縁の一部を固定する工程と
を有する
打撃補助器具の製造方法。
【発明の詳細な説明】
【技術分野】
【０００１】
本発明は、打撃補助器具、及び、打撃補助器具の製造方法に関するものである。
【背景技術】
【０００２】
例えば、特許文献１には、回転部品本体が弾性による回転揺動特性を備えることで、上端に接続された支持カップ内の球体が２Ｄ或いは３Ｄの動きを呈して前後左右に往復揺動するとともに、外部嵌合パイプ外部の管状の重量ブロックが重心の高低位置を調整制御することにより、球体を異なる往復揺動速度及び回転頻度に調節する全方向模擬打撃練習機が開示されている。
【先行技術文献】
【特許文献】
【０００３】
【特許文献１】実用新案登録３１８８５７８号
【発明の概要】
【発明が解決しようとする課題】
【０００４】
本発明は、効率的にバッティングを行うことができる打撃補助器具を提供することを目的とする。
【課題を解決するための手段】
【０００５】
本発明に係る打撃補助器具は、弾性のあるシート材と、前記シート材の一方の面に設けられ、当該シート材の長手方向の一方に立設した棒状の支柱と、前記シート材の長手方向の他方に設けられ、当該シート材の周縁の一部を固定する固定位置とを有し、前記シート材は、打撃方向に傾斜する前記支柱に追随して変形し、変形した状態から変形前の状態に復元する。
【０００６】
好適には、前記シート材の前記一方の面に設けられ、前記支柱を立設した位置と、前記固定位置との間に設けられた溝をさらに有し、前記溝は、当該シート材の長手方向と異なる方向に連続して設けられている。
【０００７】
好適には、前記溝の断面形状は、Ｖ字状、Ｕ字状、又は、コの字状であり、前記溝は、互いに離間して複数設けられ、前記シート材の幅と同じ長さに形成されている。
【０００８】
好適には、前記シート材は、周縁において面取り加工されている。
【０００９】
本発明に係る打撃補助器具の製造方法は、長手方向に変形する弾性のあるシート材の一方の面において、当該シート材の長手方向の一方に支柱を立設する工程と、前記シート材の長手方向の他方において、当該シート材の周縁の一部を固定する工程とを有する。
【発明の効果】
【００１０】
本発明によれば、効率的にバッティングを行うことができる。
【図面の簡単な説明】
【００１１】
【図１】実施形態におけるバッティングティー１の構成を説明する斜視図である。
【図２】バッティングティー１の動作を説明する図である
【図３】バッティングティー１の製造方法（Ｓ１０）を説明するフローチャートである。
【図４】基台２０に溝付きシート１０を固定する状態を説明する図である。
【図５】実施形態における変形例を説明する斜視図である。
【発明を実施するための形態】
【００１２】
以下、本発明に係る実施形態を、図面を参照して説明する。ただし、本発明の範囲は、図示例に限定されるものではない。
図１は、実施形態におけるバッティングティー１の構成を説明する斜視図である。
図１に例示するように、バッティングティー１は、溝付きシート１０、基台２０、支柱３０、及び、載置筒４０を有し、本例のバッティングティー１は、溝付きシート１０、基台２０、支柱３０、及び、載置筒４０により構成されている。なお、バッティングティー１は、本発明に係る打撃補助器具の一例である。ここで、打撃補助器具とは、バッティングティーと、バッティングパンチとを含む概念である。
【００１３】
（溝付きシート１０）
溝付きシート１０は、弾性のあるシート材であり、基台２０に重ねて配置されている。基台２０に重ねて配置された溝付きシート１０は、基台２０にシートの周縁の一部を固定されている。
溝付きシート１０は、例えば合成樹脂により形成されたシート材であり、具体的には、天然ゴム、又は、合成ゴムにより形成されたシート材である。これにより、溝付きシート１０は、力を加えて曲げ撓めることができ、加えた力を取り除くことにより曲げ撓めた状態から曲げ撓める前の状態に復元する。
また、溝付きシート１０は、例えば、長方形形状、楕円形形状、正方形または長方形の対向する両端に半円を組み合わせた形状（いわゆる両丸長方形または略トラック形状）、又は、正方形または長方形の一端に半円を組み合わせた形状（いわゆる片丸長方形）であり、長手方向に変形しやすい形状に形成されている。なお、本例の溝付きシート１０の形状は、片丸長方形に形成されている。また、溝付きシート１０は、周縁において面取り加工が施されている。なお、溝付きシート１０は、本発明に係るシート材の一例である。
【００１４】
また、溝付きシート１０は、溝１２、ソケット１４、及び、留め孔１６を有する。本例の溝付きシート１０は、溝付きシート１０のシート面において、溝付きシート１０の長手方向に三等分した中央の領域の範囲内に溝１２を設け、中央の領域の両端の領域それぞれの範囲内にソケット１４、及び、留め孔１６をそれぞれ設けている。
溝１２は、溝付きシート１０の一方のシート面（以下、表面）に設けられた溝である。溝１２は、溝付きシート１０の周縁近傍に設けた留め孔１４と、支柱３０を立設する位置に設けたソケット１６との間に設けられている。言い換えると、溝１２は、溝付きシート１０の表面において、溝付きシート１０の長手方向に三等分した中央の範囲内に設けられている。
また、溝１２は、溝付きシート１０の長手方向と異なる方向に連続して設けられている。具体的には、溝１２は、溝付きシート１０の長手方向と直交する方向（溝付きシート１０の短手方向）に設けられている。言い換えると、溝１２は、留め孔１６とソケット１４（支柱３０）とを直線で結んだ方向と直角となる方向に連続して設けられている。また、連続して設けられた溝１２は、溝付きシート１０の幅の長さ分連続して設けられている。本例の溝１２は、溝付きシート１０の端から端まで直線的に連続して設けられている。
また、溝１２は、溝付きシート１０の長手方向に複数並べて設けられ、互いに離間している。なお、本例の溝１２は、３本の溝が等間隔に互いに離間して設けられている。また、溝１２の断面形状は、Ｖ字状、Ｕ字状、又は、コの字状であり、本例の溝１２は、Ｖ字状に形成されている。
【００１５】
ソケット１４は、溝付きシート１０の一方のシート面（以下、表面）に設けられた、支柱３０を立設するための接続口である。ソケット１４は、嵌合または螺合して支柱３０と接続する。ソケット１４は、溝付きシート１０の表面に設けられ、溝付きシート１０の長手方向の一方の周縁近傍に設けられている。具体的には、ソケット１４は、円形に形成された溝付きシート１０の周縁近傍に設けられ、かつ、留め孔１６と対向する位置に設けられている。言い換えると、ソケット１４は、溝付きシート１０の表面の長手方向において、円形に形成された溝付きシート１０の外縁から１／３までの範囲内に設けられている。
【００１６】
留め孔１６は、板厚方向に溝付きシート１０を貫通した孔であり、単孔、又は、連続孔である。ここで、本例において、単孔とは１つの貫通孔であり、連続孔とは少なくとも２つの貫通孔の一部が互いに重なって穿設された貫通孔である。留め孔１６が単孔である場合、孔の内壁面に螺子溝を設けてもよいし、孔の内壁面を平らにしてもよい。なお、本例の留め孔１６は、大きさの異なる２つの貫通孔の一部が互いに重なった連続孔であり、具体的には大孔１６Ａと小孔１６Ｂとにより形成された連続孔である。大孔１６Ａは、基台２０に設けた留め軸２２の頭部２２Ａを挿通できる大きさであり、小孔１６Ｂは、留め軸２２の頭部２２Ａが挿通しない大きさであり、かつ、留め軸２２の軸部２２Ｂと嵌め合う大きさである。
また、留め孔１６は、溝付きシート１０の長手方向の他方の周縁近傍に設けられている。具体的には、留め孔１６は、方形に形成された溝付きシート１０の周縁近傍に設けられ、かつ、ソケット１４（支柱４０）と対向する位置に設けられている。言い換えると、留め孔１６は、溝付きシート１０の表面の長手方向において、方形に形成された溝付きシート１０の外縁から１／３までの範囲内に設けられている。
留め孔１６は、基台２０に溝付きシート１０を固定する位置に設けられ、基台２０と溝付きシート１０との接続点となる。さらに、留め孔１６の向きは、溝付きシート１０の長手方向に大孔１６Ａと小孔１６Ｂとが並ぶ向きに設けられている。
【００１７】
（基台２０）
基台２０は、バッティングティー１全体を支える板材である。基台２０は、地面に設置したバッティングティー１を安定させる大きさに形成されている。基台２０の形状は、多角形であり、例えば三角形、四角形、五角形、又は、六角形等に形成することができる。なお、本例の基台２０は、打撃補助や打撃練習を行う観点から、ホームベースと類似形状である五角形であることが好ましい。また、基台２０の外縁には、面取り加工が施されている。
【００１８】
また、基台２０は、留め軸２２を有する。留め軸２２は、基台２０の板面の周縁うち、溝付きシート１０と重なる位置に設けられている。留め軸２２は、基台２０の一方の面に接続された円柱状の棒材であり、いわゆるピンである。本例の留め軸２２は、頭部２２Ａと軸部２２Ｂとが一体的に形成されている。頭部２２Ａは軸部２２Ｂより断面積が大きく、軸部２２Ｂは頭部２２Ａより断面積が小さい。言い換えると、頭部２２Ａは軸部２２Ｂより太く、軸部２２Ｂは頭部２２Ａより細い。つまり留め軸２２は、いわゆるボルトの外形形状に類似した形状である。留め軸２２は、留め孔１６に挿通し嵌め合うことができる太さに形成されている。具体的には、頭部２２Ａは、溝付きシート１０の大孔１６Ａに挿通できる太さであり、軸部２２Ｂは、小孔１６Ｂと嵌め合う太さである。
【００１９】
（支柱３０）
支柱３０は、溝付きシート１０の一方の面（以下、表面）に立設した棒材である。支柱３０は、支柱３０Ａと支柱３０Ｂとにより構成され、中空の丸棒の支柱３０Ｂの内部に、中実又は中空の丸棒の支柱３０Ａが出し入れ可能であり、伸縮自在となっている。これにより、支柱３０は、載置筒４０の開口４２の高さを自在に調節することができる。
また、支柱３０は、ソケット１４に接続して立設されている。支柱３０は、溝付きシート１０の長手方向の一方周縁近傍に設けられている。具体的には、支柱３０は、ソケット１４と同様に、円形に形成された溝付きシート１０の周縁近傍に設けられ、かつ、留め孔１６と対向する位置に設けられている。言い換えると、支柱３０は、溝付きシート１０の表面の長手方向において、円形に形成された溝付きシート１０の外縁から１／３までの範囲内に設けられている。
【００２０】
（載置筒４０）
載置筒４０は、例えば合成樹脂により形成された筒体であり、具体的には、天然ゴム、又は、合成ゴムにより形成された筒体である。載置筒４０は、ゴムにより形成されているため、バットがボールを撃った際の衝撃を吸収し、バットが破損するリスクを低減することができる。
また、載置筒４０は、溝付きシート１０と接続した支柱３０の他方の端部に設けられている。載置筒４０の開口４２の形状は、円形形状、又は、多角形形状に形成され、本例の開口４２の形状は円形形状である。また、載置筒４０の開口４２のサイズは、ボールを載置することができる直径に形成されている。なお、ボールとは、例えば、野球ボール、又は、テニスボール、又は、サッカーボールを含む概念であり、本例のボールは野球ボールである。開口４２のサイズは、載置筒４０からボールが脱落しない程度の大きさであり、言い換えると、ボールの壁面の一部を支持する程度の大きさである。
このように、バッティングティー１は、溝付きシート１０、基台２０、支柱３０、及び、載置筒４０により構成されている。
【００２１】
次に、バッティングティー１の動作を説明する。
図２は、バッティングティー１の動作を説明する図である。図２（Ａ）は、載置筒４０に載置したボールを打つ前のバッティングティー１を例示する模式図であり、図２（Ｂ）は、載置筒４０に載置したボールを打った状態のバッティングティー１を例示する模式図であり、図２（Ｃ）は、載置筒４０に載置したボールを打った後のバッティングティー１を例示する模式図である。
図２（Ａ）に例示するように、使用者がボールを打つ前の状態において、溝付きシート１０は、変形することなく、基台２０の板面上に重った状態で配置されている。
次に、図２（Ｂ）に例示するように、使用者がボールを打った状態において、溝付きシート１０は、打撃方向に傾斜する支柱３０に追随して弾性変形する。具体的には、溝付きシート１０は、ソケット１４から留め孔１６に向かって、次第に基台２０と離間するよう捲れ上がるように変形する。このとき、溝付きシート１０は、溝１２を設けられた位置において、より折れ曲がるように変形する。
次に、図２（Ｃ）に例示するように、使用者がボールを打った後の状態において、溝付きシート１０は、留め孔１６からソケット１４に向かって、次第に基台２０と重なるように、捲れ上がった変形状態から変形前の状態に復元する。
このように、バッティングティー１は、載置筒４０に載置したボールを使用者が打つことにより、打撃方向に傾斜する支柱３０に追随して変形し、変形した状態から変形前の状態に復元するため、外力を逃がすことができる。
【００２２】
図３は、バッティングティー１の製造方法（Ｓ１０）を説明するフローチャートである。
図４は、基台２０に溝付きシート１０を固定する状態を説明する図である。
図３に例示するように、ステップ１００（Ｓ１００）において、製造者は、支柱３０と載置筒４０とを接続する。具体的には、製造者は、中空の丸棒の支柱３０Ｂと、中空の丸棒の支柱３０Ａとを形成し、支柱３０Ｂの内部に支柱３０Ａの一方を収納し、伸縮可能に接続する。次に、製造者は、支柱３０Ａの他方の端部に載置筒４０を接続する。
【００２３】
ステップ１０２（Ｓ１０２）において、製造者は、溝付きシート１０に支柱３０を固定する。具体的には、製造者は、溝付きシート１０のソケット１４に、載置筒４０を接続した支柱３０を差し込み固定する。製造者は、ソケット１４と支柱３０とを、例えば、螺子機構、又は、接着剤により接合する。
【００２４】
ステップ１０４（Ｓ１０４）において、製造者は、基台２０に溝付きシート１０を固定する。具体的には、図４（Ａ）に例示するように、製造者は、留め孔１６の大孔１６Ａに留め軸２２（頭部２２Ａ及び軸部２２Ｂ）を挿通し、基台２０の板面上に溝付きシート１０の裏面を接触させ重ねて配置する。
次に、製造者は、留め孔１６に留め軸２２を挿入した状態で、基台２０と溝付きシート１０とを長手方向に相対的にスライド移動させる。具体的には、製造者は、基台２０を留め孔１６から支柱３０（ソケット４０）の方向に移動させ、溝付きシート１０を支柱３０（ソケット４０）から留め孔１６の方向に移動させる。製造者がこれらを相対的にスライド移動させることにより、留め軸２２は、留め孔１６の大孔１６Ａから小孔１６Ｂに移動し、小孔１６Ｂに嵌合する。これにより、溝付きシート１０は、留め孔１６の位置にて、基台２０に固定される。
このように、製造者は、バッティングティー１を製造することができる。バッティングティー１は、基台２０に溝付きシート１０を固定するときの溝付きシート１０のスライド移動の向きと、使用時における打撃の向きとを同じ向きとしている。これにより、バッティングティー１は、使用時において、留め軸２２と留め孔１６との嵌合の解消を防止することができるため、基台２０から溝付きシート１０が外れにくくなる。
また、バッティングティー１は、ピン止め機構により、溝付きシート１０と基台２０とを固定しているため着脱自在である。製造者は、溝付きシート１０と基台２０とのスライド移動方向を固定時の逆方向（固定解除する方向）に相対的にスライド移動することにより、溝付きシート１０と基台２０とを容易に分離させることができる。
【００２５】
以上説明したように、本実施形態のバッティングティー１は、溝付きシート１０のような弾性のあるシート材を用いることにより、バネ等のような打撃力の減衰時における往復運動がないため、バネ等に比べて短時間で支柱３０を打撃後の傾斜状態から打撃前の状態に復元することができる。よって、使用者は、打撃後において、載置筒４０にボールを素早く載置することができるため、打撃準備の時間を短縮し、効率的に打撃練習を行うことができる。
また、バッティングティー１は、使用者の打撃力に応じて溝付きシート１０が弾性変形するため、支柱３０の倒れ具合で使用者の打撃力を視覚的に把握することができる。
【００２６】
なお、本実施形態のバッティングティー１では、留め軸２２を用いたピン止め機構にて、溝付きシート１０と基台２０とを接続したが、これに限定するものではなく、ボルトナットを用いて溝付きシート１０と基台２０とを接続固定してもよい。
【００２７】
［変形例］
次に、上記実施形態における変形例を説明する。
なお、変形例では、上記実施例と実質的に同一の機能、構成を有する要素については、同一の符号を付することにより重複説明を省略する。
図５は、実施形態における変形例を説明する斜視図である。
図５に例示するように、バッティングパンチ３は、溝付きシート１０、基台２０、及び、支柱３０に加えて、パンチボール５０をさらに有する。本例のバッティングパンチ３は、溝付きシート１０、基台２０、支柱３０、及び、パンチボール５０により構成されている。
パンチボール５０は、ボール本体５２と、ボール本体５２および支柱３０を接続する接続用ティ５４とを有する。なお、パンチボール５０は、ボール本体５２のみで構成されてもよい。
パンチボール５０は、支柱３０の端部に着脱自在に配置されており、上記実施例にて説明した載置筒４０と付け替えることができる。なお、パンチボール５０は、打撃時において、支柱３０の端部から外れない構造となっている。
このように、本変形例のバッティングパンチ３は、支柱３０の端部にパンチボール５０を固定することにより、使用者は、防護ネット等の他の設備を準備せずともバッティング練習を一人で行うことができる。本変形例のバッティングパンチ３は、本発明に係る打撃補助器具の一例である。
【符号の説明】
【００２８】
１          バッティングティー
１０        溝付きシート
１２        溝
１４        ソケット
１６        留め孔
２０        基台
２２        留め軸
３０        支柱
４０        載置筒
４２        開口
３          バッティングパンチ
５０        パンチボール
【図１】
2019122720.tif 000003
【図２】
2019122720.tif 000004
【図３】
2019122720.tif 000005
【図４】
2019122720.tif 000006
【図５】
2019122720.tif 000007